(57)【要約】【課題】近隣に位置する多数の移動通信端末が同時期に発信した位置登録の要求を、従来よりも好適に複数の無線基地局に分散させる。【解決手段】携帯電話端末２は、位置登録の必要があるときに、次の処理を行う。無線基地局（ＢＳ）３１からの電波を受信する。受信した電波の発信元である無線基地局３１のうちの１つをランダムに選択する。そして、選択した無線基地局３１に対してこの携帯電話端末２自身の位置登録の要求を送信する。【選択図】図１
2011254542.tif 000002
【特許請求の範囲】
【請求項１】
無線によって通信を行う移動通信端末であって、
無線基地局からの電波を受信する電波受信手段と、
前記電波受信手段によって受信された電波の発信元である無線基地局のうちの１つをランダムに選択する無線基地局選択手段と、
前記無線基地局選択手段によって選択された無線基地局に対して当該移動通信端末の位置登録の要求を送信する位置登録要求手段と、
を有することを特徴とする移動通信端末。
【請求項２】
いずれかの無線基地局に送信した当該要求に係る前記位置登録が失敗した場合に、前記無線基地局選択手段は、当該無線基地局を除外して、前記電波受信手段によって受信された電波の発信元である無線基地局のうちの１つを選択し直す、
請求項１記載の移動通信端末。
【請求項３】
前記無線基地局選択手段は、前記受信電波強度測定手段によって測定された強度が所定の値未満である電波の発信元である無線基地局を選択の対象から除外する、
請求項２記載の移動通信端末。
【請求項４】
無線によって通信を行う移動通信端末の位置登録方法であって、
当該移動通信端末に、
無線基地局からの電波を受信させ、
受信した電波の発信元である無線基地局のうちの１つをランダムに選択させ、
選択した無線基地局に対して当該移動通信端末の位置登録の要求を送信させる、
ことを特徴とする移動通信端末の位置登録方法
【請求項５】
無線によって通信を行う移動通信端末を制御するために用いられるコンピュータプログラムであって、
当該移動通信端末に、
無線基地局からの電波を受信する処理を実行させ、
受信した電波の発信元である無線基地局のうちの１つをランダムに選択する処理を実行させ、
選択した無線基地局に対して当該移動通信端末の位置登録の要求を送信する処理を実行させる、
ことを特徴とするコンピュータプログラム。
【発明の詳細な説明】
【技術分野】
【０００１】
本発明は、無線通信システムにおける移動通信端末および当該移動通信端末における位置情報の登録の方法などに関する。
【背景技術】
【０００２】
駅または繁華街などのように多数の人が密集する地域においては、携帯電話システムなどの無線通信システムに用いられる移動通信端末（移動機、移動局）が同時期に多数使用される。このような地域では、閑散な地域に比べて、通信のトラフィックが恒常的に多く、無線基地局に大きな負荷が掛かりやすい。移動通信端末は、近傍の無線基地局に掛かる負荷が大きいと、通信ができなくなることがある。
【０００３】
また、イベントが終了した直後のコンサートホールなどの施設または飛行機が到着した直後の空港の到着ゲートなどにおいては、多数の移動通信端末の電源が一斉にオンになる。そうすると、通信のトラフィックが急激に増大し、移動通信端末は、通信ができなくなることがある。
【０００４】
このような問題を解決するために、多数の人が密集する地域または急激に多数の移動通信端末の電源がオンになりやすい地域に重点的に無線基地局を増設するという対策が、講じられている。
【０００５】
しかし、そのためには、多額の投資が必要となるし、その後の運用および保守などのために多額の費用が必要となる。自然環境の保護の観点に鑑みると、無線基地局を増設し過ぎないように留意し省エネルギー化を図ることが望ましい。
【０００６】
また、都心などの込み入った地域では、無線基地局を増設するためのスペースを確保しにくい場合がある。
【０００７】
したがって、無線基地局をあまり増設することなく、通信サービスの快適化を図ることが望まれる。これに応える方法の１つとして、多数の移動通信端末が同一の無線基地局に対して一時期に位置情報の登録（位置登録）の要求が集中することを防止すること、つまり、位置登録の要求を多数の無線基地局に分散させること、が考えられる。
【０００８】
特許文献１には、移動通信端末に無線基地局を選択させる方法が記載されている。係る方法によると、移動局（移動通信端末）は、各無線基地局からの報知チャネルからの報知情報を受信し、それに基づいて空きチャネル最も多い無線基地局を選択する。
【特許文献１】特開平４−２１３２３４号公報
【発明の開示】
【発明が解決しようとする課題】
【０００９】
しかし、特許文献１に記載されるような従来の方法では、イベントの終了の直後または飛行機の到着の直後のような、多数の移動通信端末が一斉に位置登録を要求する場合には、位置登録の要求を上手く無線基地局に分散させることができない可能性がある。
【００１０】
本発明は、このような問題点に鑑み、近隣に位置する多数の移動通信端末が同時期に発信した位置登録の要求を、好適に無線基地局に分散させるようにすることを、目的とする。
【課題を解決するための手段】
【００１１】
本発明に係る移動通信端末は、無線によって通信を行う移動通信端末であって、無線基地局から受信した電波である受信電波の強度を測定する受信電波強度測定手段と、当該移動通信端末の位置登録の要求をどの無線基地局に対して送信するのかを選択する無線基地局選択手段と、前記無線基地局選択手段によって選択された無線基地局に対して前記要求を送信する位置登録要求手段と、を有し、前記無線基地局選択手段は、前記要求を新たに送信するにあたって、１回目は、前記受信電波強度測定手段によって測定された最も高い強度の前記受信電波に係る無線基地局を選択し、いずれかの無線基地局に送信した当該要求に係る前記位置登録が失敗した場合は、当該無線基地局に係る前記受信電波の強度以下である他の受信電波に係る無線基地局を選択し直す、ことを特徴とする。
【００１２】
本発明の他の形態に係る移動通信端末は、無線基地局からの電波を受信する電波受信手段と、前記電波受信手段によって受信された電波の発信元である無線基地局のうちの１つをランダムに選択する無線基地局選択手段と、前記無線基地局選択手段によって選択された無線基地局に対して当該移動通信端末の位置登録の要求を送信する位置登録要求手段と、を有する。
【発明の効果】
【００１３】
本発明によると、近隣に位置する多数の移動通信端末が同時期に発信した位置登録の要求を、好適に無線基地局に分散させることができる。
【発明を実施するための最良の形態】
【００１４】
〔第一の実施形態〕
図１は携帯電話システム１の全体的な構成の例を示す図、図２は携帯電話端末２のハードウェア構成の例を示す図、図３は携帯電話端末２の機能的構成の例を示す図である。
【００１５】
図１に示すように、携帯電話システム１は、ＣＤＭＡ２０００またはＷ−ＣＤＭＡなどの規格に基づく無線通信システムであって、本発明に係る携帯電話端末２、無線アクセスネットワーク（ＲＡＮ：Radio Access Network）３、およびコアネットワーク（ＣＮ：Core Network）４などによって構成される。
【００１６】
無線アクセスネットワーク３およびコアネットワーク４の構成は、従来と同様である。すなわち、無線アクセスネットワーク３は無線基地局（ＢＳ：Base Station）３１および基地局制御装置（ＢＳＣ：BS Controller）３２などによって構成され、コアネットワーク４は関門移動交換局（ＧＭＳＣ：Gateway MSC）４１、移動交換局（ＭＳＣ：Mobile Services Switching Center）４２、およびホームロケーションレジスタ（ＨＬＲ：Home Location Register）４３などによって構成される。
【００１７】
なお、無線基地局３１は「Ｎｏｄｅ  Ｂ」または「基地局」などと呼ばれることがある。また、基地局制御装置３２は「ＲＮＣ（Radio Network Controller）」と呼ばれることがある。以下、各無線基地局３１を「無線基地局３１Ａ」、「無線基地局３１Ｂ」、「無線基地局３１Ｃ」、…と区別して記載することがある。
【００１８】
携帯電話端末２は、従来通り、無線アクセスネットワーク３およびコアネットワーク４などを介して他の携帯電話端末または固定電話機などと通話を行ったり他の携帯電話端末またはパーソナルコンピュータなどと電子メールまたは画像データなどのデータのやり取りを行ったりすることができる。
【００１９】
携帯電話端末２は、図２に示すように、ＣＰＵ２０ａ、メモリ２０ｂ、無線回路２０ｃ、液晶パネル２０ｄ、操作ボタン２０ｅ、アンテナ２０ｆ、マイク２０ｇ、スピーカ２０ｈ、および入出力インタフェース２０ｉなどによって構成される。このように、携帯電話端末２のハードウェア構成は、従来の携帯電話端末のハードウェア構成と同様である。
【００２０】
また、メモリ２０ｂに記憶されているソフトウェアも、基本的に従来と同様である。ただし、コアネットワーク４との通信を中継してもらう無線基地局３１を選択するソフトウェアとして、図３に示す電界強度測定部２０１、登録先基地局選択部２０２、位置登録実行部２０３、実行タイマ起動部２０４、実行タイマ満了判定部２０５、位置登録回数認識部２０６、位置登録完了判定部２０７、実行回数カウンタ２ＣＲ、および実行タイマ２ＴＲなどの機能を実現するためのソフトウェアが記憶されている。これらのソフトウェアは、ＣＰＵ２０ａによって実行される。
【００２１】
図４は登録先テーブルＴＬの例を示す図である。次に、図３に示す携帯電話端末２の各部の処理内容について詳細に説明する。
【００２２】
電界強度測定部２０１は、その携帯電話端末２自身のアンテナ２０ｆによって受信される、無線基地局３１からの電波の強さ（つまり、無線基地局３１からの電波による、その携帯電話端末２における電界強度）を、従来と同様の方法で測定する。
【００２３】
すなわち、無線基地局３１は、通常、「止まり木チャネル」または「共通チャネル」など呼ばれる所定の周波数のチャネルを用いて、その無線基地局３１自身の識別情報などを報知する電波を発信する。電界強度測定部２０１は、従来通り、その携帯電話端末２自身のアンテナ２０ｆによって検知される、止まり木チャネルの電波による電界強度を測定する。
【００２４】
以下、電界強度測定部２０１によって測定された電界強度を「電界強度ＤＫ」と記載する。また、無線基地局３１Ａ、３１Ｂ、３１Ｃ、…の電界強度ＤＫをそれぞれ「電界強度ＤＫａ」、「電界強度ＤＫｂ」、「電界強度ＤＫｃ」、…と区別して記載することがある。
【００２５】
位置登録実行部２０３は、その携帯電話端末２自身の位置登録の要求を、後述する登録先基地局選択部２０２によって選択された無線基地局３１に対して行う。
【００２６】
そして、その無線基地局３１によってその要求が受け付けられ、その無線基地局３１および上位のホームロケーションレジスタ４３にその携帯電話端末２の位置情報が登録されると、コアネットワーク４などを介して他の携帯電話端末、固定電話機、またはパーソナルコンピュータなどの端末装置と接続し通信を行うことが可能になる。
【００２７】
登録先基地局選択部２０２は、その携帯電話端末２自身とコアネットワーク４との通信を中継してもらう無線基地局３１、つまり、その携帯電話端末２自身の位置情報の登録先とする無線基地局３１を選択する処理を行う。係る処理は、電界強度測定部２０１による測定結果および図４に示す登録先テーブルＴＬに基づいて行う。
【００２８】
ここで、登録先テーブルＴＬについて説明する。前に「背景技術」の欄で説明したように、従来の携帯電話端末は、近傍に複数の無線基地局３１が存在する場合は、最も高い（強い）電界強度ＤＫに係る無線基地局３１への位置情報の登録（位置登録）を試みる。そして、位置登録に失敗した場合は、所定の時間が経経過した後に、再度、各無線基地局３１の電界強度ＤＫを測定し、最も高い電界強度ＤＫに係る無線基地局３１への位置登録を試みた。
【００２９】
しかし、本実施形態に係る携帯電話端末２は、最も高い電界強度ＤＫに係る無線基地局３１への位置登録を常に試みるのではなく、位置登録を試みる回数に応じて、２番目以降の高さの電界強度ＤＫに係る無線基地局３１への位置登録も試みる。登録先テーブルＴＬには、図４に示すように、何回目の位置登録の試行であるかに応じて何番目の強さの電界強度ＤＫに係る無線基地局３１に対して位置登録を試みるのかが、規定されている。
【００３０】
実行タイマ２ＴＲは、上述の位置登録の試行の時間の間隔が所定の時間（以下、「時間Ｔａと記載する。」になるように調整するためのタイマである。実行タイマ起動部２０４は、実行タイマ２ＴＲを起動（スタート）させる。実行タイマ満了判定部２０５は、実行タイマ２ＴＲが時間Ｔａを計測したこと判定する。そして、判定後、電界強度測定部２０１に電界強度ＤＫを測定させ、登録先基地局選択部２０２に無線基地局３１を選択させ、位置登録実行部２０３に位置登録の処理を実行させる。
【００３１】
実行回数カウンタ２ＣＲは、上述の位置登録の試行の回数をカウントする。位置登録回数認識部２０６は、実行回数カウンタ２ＣＲに示される回数を認識し、認識した回数に応じて次のように各部を制御する。その回数が「２」以上である場合は、実行タイマ２ＴＲを起動するように実行タイマ起動部２０４に指令を与える。「１」である場合は、実行タイマ２ＴＲを起動させることなく、電界強度測定部２０１に電界強度ＤＫを測定させ、登録先基地局選択部２０２に無線基地局３１を選択させ、位置登録実行部２０３に位置登録の処理を実行させる。
【００３２】
位置登録完了判定部２０７は、無線基地局３１およびホームロケーションレジスタ４３への位置登録が成功（完了）したか否かを判定する。
【００３３】
図５は位置登録処理の流れの例を説明するフローチャートである。ここで、携帯電話端末２の位置情報の登録の処理の流れを、図５を参照しながら説明する。
【００３４】
携帯電話端末２に電源が投入されると、実行回数カウンタ２ＣＲがリセットされる（図５の＃１）。位置登録回数認識部２０６は、実行回数カウンタ２ＣＲに示される回数を認識し、その回数に応じて各部を制御する。初回は（＃４でＹｅｓ）、「１」を認識し、実行タイマ２ＴＲを起動させることなく、電界強度測定部２０１、登録先基地局選択部２０２、および位置登録実行部２０３に対して指令を与える。
【００３５】
すると、電界強度測定部２０１は、周囲の各無線基地局３１の電界強度ＤＫを測定する（＃８）。登録先基地局選択部２０２は、図４の登録先テーブルＴＬに基づいて、いずれか１つの無線基地局３１を選択する（＃９）。今回は１回目の試行であるので、最も高い電界強度ＤＫに係る無線基地局３１を選択する。そして、位置登録実行部２０３は、登録先基地局選択部２０２によって選択された無線基地局３１に対して位置登録の要求を行う（＃１０）。
【００３６】
位置登録が成功したと位置登録完了判定部２０７が判定したら（＃２でＹｅｓ）、図５の一連の処理を終了する。なお、位置登録は、従来通り、ホームロケーションレジスタ４３に対しても行われる。
【００３７】
位置登録ができなかった場合は（＃２でＮｏ）、実行回数カウンタ２ＣＲは「１」カウントアップし（＃３）、再度、位置登録を試みる。ただし、前回の位置登録の試行から少なくとも時間Ｔａが経過してから実行されるようにする。
【００３８】
すなわち、実行タイマ起動部２０４は、前回の位置登録が失敗したことが分かったら速やかに実行タイマ２ＴＲを起動させる（＃５）。実行タイマ２ＴＲによる計測の時間が時間Ｔａを経過したと実行タイマ満了判定部２０５が判定したら（＃７でＹｅｓ）、電界強度測定部２０１は、再度、周囲の各無線基地局３１の電界強度ＤＫを測定する（＃８）。登録先基地局選択部２０２は、登録先テーブルＴＬに基づいて、いずれか１つの無線基地局３１を選択する（＃９）。２回目以降は、徐々に低い電界強度ＤＫに係る無線基地局３１が選択されるようになる。そして、位置登録実行部２０３は、登録先基地局選択部２０２によって選択された無線基地局３１への位置登録を実行する（＃１０）。
【００３９】
なお、実行タイマ２ＴＲは、時間Ｔａが経過したと実行タイマ満了判定部２０５によって判定されるごとに停止させられリセットされる。また、実行タイマ２ＴＲの起動（スタート）は、前回の位置登録が失敗したことが分かった時点ではなくてもよい。前回の位置登録の処理の開始の時点からそれが失敗したことが分かった時点までの間の時間帯に起動すればよい。
【００４０】
図６は携帯電話端末２Ｘの電源がオフであるときの施設の近辺のセルおよび携帯電話端末２の様子の例を示す図、図７は携帯電話端末２Ｘの電源がオンになった後の施設の近辺のセルおよび携帯電話端末２の様子の例を示す図である。
【００４１】
次に、コンサートホールまたはスタジアムなどの施設で行われていたイベントが終了した直後、来場者が同時期に携帯電話端末２の電源をオンにする場合における、ある来場者Ｘの携帯電話端末２Ｘの位置登録の処理を、図６および図７を参照しながら説明する。
【００４２】
イベントが終了し、携帯電話端末の使用が解禁されると、来場者は一斉に自分の携帯電話端末２の電源をオンする。来場者は特定の区域にかたまっているので、彼らの携帯電話端末２の位置登録は特定の無線基地局３１に集中する。図６の例では、無線基地局３１Ａに集中している。
【００４３】
ここで、ある来場者Ｘが他の来場者よりも遅れて自分の携帯電話端末２（２Ｘ）の電源をオンにすると、携帯電話端末２Ｘは、図７に丸数字で示すように、携帯電話端末２Ｘの周囲にある無線基地局３１Ａ、３１Ｂ、３１Ｃの電界強度ＤＫａ、ＤＫｂ、ＤＫｃを測定する。ここでは、電界強度ＤＫａ、ＤＫｂ、ＤＫｃの順に高かったとする。以下、説明の簡単のため、これらの電界強度ＤＫの高低の順番は変わらないものとして説明する。なお、図中の一点鎖線の円は無線基地局３１Ａのセルの範囲を表し、点線の円は無線基地局３１Ｂのセルの範囲を表し、実線の円は無線基地局３１Ｃのセルの範囲を表している。
【００４４】
そして、登録先テーブルＴＬ（図４参照）に基づいて、まずは、最も高い電界強度ＤＫに係る無線基地局３１つまり無線基地局３１Ａへの位置登録を試みる。
【００４５】
無線基地局３１Ａへの位置登録に失敗したら、各電界強度ＤＫを測定し直し、登録先テーブルＴＬに基づいて位置登録を試みる。図４の登録先テーブルＴＬによると、２〜４回目は無線基地局３１Ｂに対して位置登録を試み、５〜７回目は無線基地局３１Ｃに対して位置登録を試みる。
【００４６】
第一の実施形態によると、携帯電話端末２は、位置登録が不調である場合に、位置登録の要求の送信先を、徐々に弱い電波の発信元の無線基地局３１にシフトしていく。よって、近隣に位置する多数の携帯電話端末２が同時期に発信した位置登録の要求を、好適に無線基地局３１に分散させることができる。これにより、位置登録の確実性を高めることができる。
【００４７】
〔第二の実施形態〕
図８は携帯電話端末２の機能的構成の変形例を示す図である。
【００４８】
第一の実施形態では、携帯電話端末２は、最も強い電界強度ＤＫに係る無線基地局３１への位置登録に失敗した場合は、だんだんと低い電界強度ＤＫに係る無線基地局３１にシフトしながら位置登録を再試行した。第二の実施形態では、携帯電話端末２は、ランダムに無線基地局３１を選択し位置登録を試みる。
【００４９】
第二の実施形態における携帯電話端末２のハードウェア構成は、第二の実施形態と同様であり、図２に示した通りである。インストールされているソフトウェアも、第二の実施形態と基本的に同様である。ただし、無線基地局３１を選択するソフトウェアとして、図８に示す電界強度測定部２２１、登録先基地局選択部２２２、位置登録実行部２２３、実行タイマ起動部２２４、実行タイマ満了判定部２２５、位置登録回数認識部２２６、位置登録完了判定部２２７、乱数演算部２２８、実行回数カウンタ２ＣＳ、および実行タイマ２ＴＳなどの機能を実現するためのソフトウェアが記憶されている。
【００５０】
電界強度測定部２２１、位置登録実行部２２３、実行タイマ起動部２２４、実行タイマ満了判定部２２５、位置登録回数認識部２２６、位置登録完了判定部２２７、実行回数カウンタ２ＣＳ、および実行タイマ２ＴＳは、それぞれ、第一の実施形態の電界強度測定部２０１、位置登録実行部２０３、実行タイマ起動部２０４、実行タイマ満了判定部２０５、位置登録回数認識部２０６、実行回数カウンタ２ＣＲ、および実行タイマ２ＴＲと同等の処理を行う。
【００５１】
乱数演算部２２８は、電界強度測定部２２１によって検知（測定）された電界強度ＤＫの個数に基づいて、現在、その携帯電話端末２が受信可能な電波を発信する無線基地局３１のうちのいずれかを選択するための自然数の乱数を発生させる。つまり、電界強度測定部２２１によってＮ台の無線基地局３１からの電界強度ＤＫが検知される場合は、乱数として「１」〜「Ｎ」（Ｎは、２以上の自然数。）のうちのいずれかを発生させる。乱数を発生させる関数の引数の１つとして、現在の実行回数カウンタ２ＣＲの値が用いられるようにしてもよい。他の事項の値を引数として用いてもよい。
【００５２】
登録先基地局選択部２２２は、登録先基地局選択部２０２と同様に、その携帯電話端末２自身とコアネットワーク４との通信を中継してもらう無線基地局３１、つまり、その携帯電話端末２自身の位置情報の登録先とする無線基地局３１を選択する処理を行う。ただし、選択する方法が、登録先基地局選択部２０２における方法とは異なる。
【００５３】
すなわち、登録先基地局選択部２２２は、乱数演算部２２８が発生させた乱数に対応する無線基地局３１を、位置情報の登録先として選択する。乱数と無線基地局３１との対応付けは、予め次のように決めておけばよい。例えば、電界強度ＤＫの高い順に「１」、「２」、「３」、…の乱数を対応付けておいてもよい。または、識別情報の若い順に乱数を対応付けておいてもよい。
【００５４】
図９は位置登録処理の流れの変形例を説明するフローチャートである。次に、第二の実施形態における携帯電話端末２の位置情報の登録の処理の流れを、図９を参照しながら説明する。
【００５５】
ステップ＃２１〜＃２８の処理の内容は、図５で説明した第一の実施形態のステップ＃１〜＃８と同様である。つまり、携帯電話端末２に電源が投入されると、実行回数カウンタ２ＣＳがリセットされる（図９の＃２１）。位置登録回数認識部２２６は、実行回数カウンタ２ＣＳに示される回数を認識し、その回数に応じて各部を制御する。初回は（＃２４でＹｅｓ）、「１」を認識し、実行タイマ２ＴＳを起動させることなく、電界強度測定部２２１、登録先基地局選択部２２２、および位置登録実行部２２３に対して指令を与える。
【００５６】
すると、電界強度測定部２２１は、周囲の各無線基地局３１の電界強度ＤＫを測定する（＃２８）。測定後、乱数演算部２２８が起動し（＃２９）、周囲の無線基地局３１の台数に応じた乱数を発生させる（＃３０）。
【００５７】
登録先基地局選択部２２２は、その乱数に応じて無線基地局３１を選択する（＃３１）。そして、位置登録実行部２２３は、登録先基地局選択部２０２によって選択された無線基地局３１に対して位置登録の要求を行う（＃３２）。
【００５８】
位置登録が成功したと位置登録完了判定部２０７が判定したら（＃２２でＹｅｓ）、図９の一連の処理を終了する。なお、位置登録は、第一の実施形態と同様、ホームロケーションレジスタ４３に対しても行われる。
【００５９】
位置登録ができなかった場合は（＃２２でＮｏ）、実行回数カウンタ２ＣＳは「１」カウントアップし（＃２３）、再度、位置登録を試みる。前回の位置登録の試行から少なくとも時間Ｔａが経過してから実行されるようにする点も、第一の実施形態と同様である（＃２５〜＃２７）。ただし、この際に、第二の実施形態では、失敗した無線基地局３１を除外し、残りの通信可能な無線基地局３１のうちの１つをランダムに選択し直す（＃２８〜＃３１）。なお、失敗するたびに無線基地局３１を選択し直すのではなく、所定の回数試行しても位置登録できなかった場合に選択し直すようにしてもよい。
【００６０】
第二の実施形態によると、携帯電話端末２は、位置登録の要求の送信先とする無線基地局３１をランダムに選択する。よって、近隣に位置する多数の携帯電話端末２が同時期に発信した位置登録の要求を、好適に無線基地局３１に分散させることができる。
【００６１】
第二の実施形態では、初回から無線基地局３１をランダムに選択して位置登録の処理を行ったが、初回は第一の実施形態と同様に最も高い電界強度ＤＫに係る無線基地局３１を選択して位置登録の処理を行い、それに失敗したら、残りの無線基地局３１のうちの１つをランダムに選択し直して位置登録の処理を行ってもよい。
【００６２】
第一および第二の実施形態において、登録先基地局選択部２０２、２２２は、電界強度測定部２０１、２２１によって測定された電界強度ＤＫに係る無線基地局３１のすべてを選択の候補とするのではなく、所定の値未満である微弱な電界強度ＤＫに係る無線基地局３１を候補から除外するのが望ましい。
【００６３】
第一および第二の実施形態では、ＣＤＭＡ２０００またはＷ−ＣＤＭＡなどの規格に基づく無線通信システムで使用される携帯電話端末２（移動局）を例に説明したが、本発明は、いわゆる無線ＬＡＮの移動局またはＰＨＳの移動局など、他の方式の無線通信システムの移動局にも、適用可能である。
【００６４】
その他、携帯電話システム１、携帯電話端末２の全体または各部の構成、処理内容、処理順序、登録先テーブルＴＬの構成などは、本発明の趣旨に沿って適宜変更することができる。
【００６５】
上に述べた実施例には、以下に述べるような付記も開示されている。
（付記１）
無線によって通信を行う移動通信端末であって、
無線基地局から受信した電波である受信電波の強度を測定する受信電波強度測定手段と、
当該移動通信端末の位置登録の要求をどの無線基地局に対して送信するのかを選択する無線基地局選択手段と、
前記無線基地局選択手段によって選択された無線基地局に対して前記要求を送信する位置登録要求手段と、を有し、
前記無線基地局選択手段は、前記要求を新たに送信するにあたって、１回目は、前記受信電波強度測定手段によって測定された最も高い強度の前記受信電波に係る無線基地局を選択し、いずれかの無線基地局に送信した当該要求に係る前記位置登録が失敗した場合は、当該無線基地局に係る前記受信電波の強度以下である他の受信電波に係る無線基地局を選択し直す、
ことを特徴とする移動通信端末。
（付記２）
無線によって通信を行う移動通信端末であって、
無線基地局からの電波を受信する電波受信手段と、
前記電波受信手段によって受信された電波の発信元である無線基地局のうちの１つをランダムに選択する無線基地局選択手段と、
前記無線基地局選択手段によって選択された無線基地局に対して当該移動通信端末の位置登録の要求を送信する位置登録要求手段と、
を有することを特徴とする移動通信端末。
（付記３）
いずれかの無線基地局に送信した当該要求に係る前記位置登録が失敗した場合に、前記無線基地局選択手段は、当該無線基地局を除外して、前記電波受信手段によって受信された電波の発信元である無線基地局のうちの１つを選択し直す、
付記２記載の移動通信端末。
（付記４）
前記無線基地局選択手段は、前記受信電波強度測定手段によって測定された強度が所定の値未満である電波の発信元である無線基地局を選択の対象から除外する、
付記３記載の移動通信端末。
（付記５）
無線によって通信を行う移動通信端末であって、
無線基地局から受信した電波である受信電波の強度を測定する受信電波強度測定手段と、
当該移動通信端末の位置登録の要求をどの無線基地局に対して送信するのかを選択する無線基地局選択手段と、
前記無線基地局選択手段によって選択された無線基地局に対して当該移動通信端末の位置登録の要求を送信する位置登録要求手段と、を有し、
前記無線基地局選択手段は、前記要求を新たに送信するにあたって、１回目は、前記受信電波強度測定手段によって測定された最も高い強度の前記受信電波に係る無線基地局を選択し、当該要求に係る前記位置登録に失敗した場合は、前記受信電波強度測定手段によって測定された２番目以降に高い強度の前記受信電波に係る無線基地局のうちの１つをランダムに選択し直す、
ことを特徴とする移動通信端末。
（付記６）
無線によって通信を行う移動通信端末の位置登録方法であって、
当該移動通信端末に、
当該移動通信端末に届いた電波のうち最も強い電波の発信元である無線基地局に対して当該移動通信端末の位置登録の要求を送信させ、
当該位置登録に失敗した場合は、当該移動通信端末に届いた電波のうち２番目以降に強い発信元である無線基地局に対して前記要求を送信し直させる、
ことを特徴とする移動通信端末の位置登録方法。
（付記７）
無線によって通信を行う移動通信端末の位置登録方法であって、
当該移動通信端末に、
無線基地局からの電波を受信させ、
受信できた電波の発信元である無線基地局のうちの１つをランダムに選択させ、
選択した無線基地局に対して当該移動通信端末の位置登録の要求を送信させる、
ことを特徴とする移動通信端末の位置登録方法。
（付記８）
無線によって通信を行う移動通信端末を制御するために用いられるコンピュータプログラムであって、
当該移動通信端末に、
当該移動通信端末に届いた電波のうち最も強い電波の発信元である無線基地局に対して当該移動通信端末の位置登録の要求を送信する処理を実行させ、
当該位置登録に失敗した場合に、前記要求を、当該移動通信端末に届いた電波のうち２番目以降に強い発信元である無線基地局に再送信する処理を実行させる、
ことを特徴とするコンピュータプログラム。
（付記９）
無線によって通信を行う移動通信端末を制御するために用いられるコンピュータプログラムであって、
当該移動通信端末に、
受信できた電波の発信元である無線基地局のうちの１つをランダムに選択する処理と、
選択した無線基地局に対して当該移動通信端末の位置登録の要求を送信する処理と、を実行させる、
ことを特徴とするコンピュータプログラム。
【図面の簡単な説明】
【００６６】
【図１】携帯電話システムの全体的な構成の例を示す図である。
【図２】携帯電話端末のハードウェア構成の例を示す図である。
【図３】携帯電話端末の機能的構成の例を示す図である。
【図４】登録先テーブルの例を示す図である。
【図５】位置登録処理の流れの例を説明するフローチャートである。
【図６】携帯電話端末の電源がオフであるときの施設の近辺のセルおよび携帯電話端末の様子の例を示す図である。
【図７】携帯電話端末の電源がオンになった後の施設の近辺のセルおよび携帯電話端末の様子の例を示す図である。
【図８】携帯電話端末の機能的構成の変形例を示す図である。
【図９】位置登録処理の流れの変形例を説明するフローチャートである。
【符号の説明】
【００６７】
２  携帯電話端末（移動通信端末）
２０１、２２１  電界強度測定部（受信電波強度測定手段）
２０２、２２２  登録先基地局選択部（無線基地局選択手段）
２０３、２２３  位置登録実行部（位置登録要求手段）
２０ｆ  アンテナ（電波受信手段）
３１  無線基地局
【図１】
2011254542.tif 000003
【図２】
2011254542.tif 000004
【図３】
2011254542.tif 000005
【図４】
2011254542.tif 000006
【図５】
2011254542.tif 000007
【図６】
2011254542.tif 000008
【図７】
2011254542.tif 000009
【図８】
2011254542.tif 000010
【図９】
2011254542.tif 000011